(57)【要約】【課題】  熟練技術の有無に関わらず誰もが自分の意図する姿に生け花を容易に作り上げることができると共に、作り上げた生け花の花形の不動状態を確実に保持することができる生花整形体とその生花整形体に使用する花器を提供することを目的とする。【解決手段】  生花整形体を平面視した場合において、花樹を安定させるための区画空隙８を備えていることを特徴とする。【選択図】      図１(a)(b)(c)(d)(e)
2005087222.tif 000002
【特許請求の範囲】
【請求項１】
平面視した場合において、花樹（２）を安定させるための区画空隙（８）を備えていることを特徴とする生花整形体。
【請求項２】
筒体（５）からなる生花整形体であって、該筒体（５）を平面視した場合、筒体（５）の内部に、花樹（２）を安定させるための区画空隙（８）を備えていることを特徴とする請求項１記載の生花整形体。
【請求項３】
前記区画空隙（８）の内部に、整形補正材（３ａ，３ｂ，３ｃ）を嵌め込むことを特徴とする請求項１又は２記載の生花整形体。
【請求項４】
生花整形体の内部の下部に、ずれ防止手段（１５）を備えていることを特徴とする請求項１、２又は３記載の生花整形体。
【請求項５】
底面（１４）を備えていることを特徴とする請求項１、２、３又は４記載の生花整形体。
【請求項６】
花器本体（１）の内部に、請求項１、２、３、４又は５記載の生花整形体を収容していることを特徴とする花器。
【請求項７】
花器本体（１）の側周面には、図柄（１３ａ，１３ｂ）が施してあることを特徴とする請求項６記載の花器。
【請求項８】
花器本体（１）の底部に、請求項１、２、３又は４記載の生花整形体を一体に形成していることを特徴とする花器。
【請求項９】
花器本体（１）に柔軟性と弾力性を保有する排水用のホース（１６）を連結し、該ホース（１６）には、流路を開閉するための栓部材（１８）が着脱可能に備えてあることを特徴とする請求項６、７又は８記載の花器。
【請求項１０】
透水性を有していることを特徴とする請求項１、２、３、４又は５記載の生花整形体。
【発明の詳細な説明】
【技術分野】
【０００１】
本発明は、花や樹木などを生けるのに用いる生花整形体とそれを内部に収容する花器に関するものであり、詳しくは、花樹を自分の思い通りの形に容易に生けることができると共に、完成した生け花の不動状態を保つことができる生花整形体とその生花整形体を使用する花器に関するものである。
【背景技術】
【０００２】
生け花とは、花や樹木などを花瓶や水盤といった花器に美しく飾るものであり、生け花の美しさに花器の豪華さなどが相まって、見る人の気分を和ませ、人の気持ちを優しくすると共に元気を与えてくれる作用を有している。この作用を長期間に亘って有効に発揮するためには、生け花がみずみずしい生気を保ち続けなければならないことはもちろんのこと、見る角度を計算し、全体の形を十分に考慮して美しく作り上げられた生け花の姿を保ち続けなければならない。このような生け花の状態を保持するためには、生け花の角度や形を変えることなく花器内の水を少なくとも毎日欠かさず取り換えることが必要とされている。
【０００３】
しかしながら、従来の水交換作業においては、生け花をどうしても一旦花器内から取り出さなければならず、作者の思い通りに作り上げた美しい生け花の姿が崩されると共に、作者の意図も完全に失われてしまい、更には、花器内に新しい水を補給した後に、再び生け花を花器内に生け直す必要があるため、作品本来の姿が全く変えられてしまうことはもちろんのこと、手間が掛かり非常に面倒であった。特に花器の形状が皿状の水盤である場合は、剣山を使用するため、花の茎や樹木を斜めに切って一本一本剣山の針に挿して固定しなければならず、剣山の針の部分は長いもので２ｃｍ程度と非常に短く形成されていることから、その作業は非常に難しく、更に全体の見栄えをも考慮しながら作業を行わなければならないため、非常に熟練した高度な技術が必要となり、素人にとっては非常に困難な作業であった。
【０００４】
このようなことから、生け花とは、少しでも花に触れたり、花器を移動させることで、角度や形が簡単に変えられてしまうため、非常に繊細且つ慎重に取り扱われることとなり、熟練技術を有した者によって美しく花器内に作り上げられた生け花を芸術作品として完全に観賞するものとなってしまう傾向があった。
【発明の開示】
【発明が解決しようとする課題】
【０００５】
そこで、本発明は、熟練技術の有無に関わらず誰もが自分の意図する姿に生け花を容易に作り上げることができると共に、作り上げた生け花の花形の不動状態を確実に保持することができる生花整形体とその生花整形体を使用する花器を提供することを目的とする。
【課題を解決するための手段】
【０００６】
上記目的を達成するために、本発明のうち請求項１記載の発明は、生花整形体を平面視した場合において、花樹を安定させるための区画空隙を備えていることを特徴とする。
【０００７】
ここで、生花整形体とは、内部に花樹を挿し込むことが可能である構成及び形状のものを全て含める概念であり、例えば組立体や骨組体及び筒状体などが挙げられる。また、区画空隙とは、単数で備えてもよいし、複数を連結させて備えてもよい。区画空隙の形状としては、生花整形体の構成及び形状にもよるが、挿し込んだ花樹を安定させることが可能であればどの形状でもよく、例えば井桁状、蜂の巣状、亀の甲羅状、円、三角形及び菱形などの様々な形状を挙げることができる。区画空隙の大きさは、花樹を確実に安定させるために、幅又は直径が２０ｍｍ〜６０ｍｍ（好ましくは３０ｍｍ前後）であることが望ましい。
【０００８】
このように構成することによって、花樹を生花整形体内に生けた際に区画空隙により安定させることが可能であるため、自分の思い通りの花形を容易に作り上げることができると共に、花形の不動状態を容易に保つことができる。
【０００９】
請求項２記載の発明のように、筒体からなる生花整形体とし、該筒体を平面視した場合、筒体の内部に、花樹を安定させるための区画空隙を備えることによって、筒体内が区画空隙によって区画されるため、筒体内に花樹を挿し込んだ際に花樹が筒体の口部いっぱいに広がることを防ぎ、区画空隙内に安定させることができると共に、生けたいと思う位置の区画空隙内に花樹を挿し込むだけで、自分の思い通りの花形を容易に作り上げることができる。
【００１０】
ここで、筒体とは、必ずしも円筒形状に限定されるものではなく、筒体の内部に区画空隙を形成することが可能な形状のものを全て含める概念である。材質に関しても特に限定するものではなく、陶磁器、ガラス製、金属製、プラスチック製、木製などが挙げられる。
区画空隙の形状としては、前記と同様に、花樹を安定させることが可能であればどの形状でもよく、例えば井桁状、蜂の巣状、亀の甲羅状、円、三角形及び菱形などの様々な形状を挙げることができるが、製造工程の簡略化などを考慮すると、井桁状に形成することが望ましい。また、区画空隙の大きさも前記と同様に、幅又は直径が２０ｍｍ〜６０ｍｍ（好ましくは３０ｍｍ前後）であることが望ましい。区画空隙の構成については、棒状、板状、網状及びリング状などの区画部材を区画空隙の形状に合わせて個々に組み合わせてもよいし、各部材を複合させて組み合わせてもよい。また、筒体内の上下方向に区画空隙を複数段設けてもよいし、筒体内を区画部材により上下方向に完全に仕切った状態にしてもよい。さらに、区画空隙は筒体内に固定してもよいし、着脱可能に備えてもよい。区画部材の材質に関しては、特に限定するものではなく、木製、プラスチック製、金属製、樹脂製など様々なものが挙げられる。
尚、筒体の口部の内幅又は内径を３０ｍｍ前後にすることで、筒体の口部自体を区画空隙とすることが可能である。また、筒体は上下面が開放しているため、両面どちらも口部にすることが可能であるため、筒体を上下逆さまにして使用することができ、特に、筒体内の上下方向に区画空隙を複数段設けた場合は、筒体の上下部に設けられる区画空隙の大きさや形状を変えることにより、上下面を使い分けることが可能となり、一つの生花整形体で様々な生け方を行うことができる。
【００１１】
請求項３記載の発明のように、区画空隙の内部に整形補正材を嵌め込むことによって、区画空隙内の隙間を埋めることが可能であるため、花樹をより一層安定させて不動状態に固定することができると共に、整形補正材によって花樹の角度を自由自在に変化させて固定することが可能であるため、より一層容易に自分の思い通りとする生け花の花形を作り上げることができる。さらに、生け花を作り上げた後でも、整形補正材の角度を変えたり引き抜いたりするだけで、花樹を筒体内から引き抜くことなく角度を変えたりすることが可能であるため、生け花の花形を容易に修正することができる。
【００１２】
ここで、整形補正材に関しては、区画空隙内に挿入した花樹同士の隙間に嵌り込み、区画空隙内を埋めることが可能なものであれば特に限定するものではなく、筒体内に花樹を生けた際に出た余分な茎や枝及び葉などを使用することが最も簡便で望ましいが、隙間の割合や作り上げる花形によっては、木材やプラスチックなどを割り箸状に形成したものや、ウレタンや低発泡材などのような柔軟性を保有する緩衝材などを使用することもできる。
【００１３】
請求項４記載の発明のように、生花整形体の内部の下部にずれ防止手段を備えることによって、区画空隙内に花樹を挿し込んだ際に、花樹の下端部分をずれ防止手段によって固定することが可能であるため、区画空隙及び整形補正材の作用と相まって、より一層確実に生け花の不動状態を保持することができる。特に、生花整形体の高さを低く形成した場合、区画空隙内に挿し込んだ花樹が不安定になりやすいため、ずれ防止手段を備えることが非常に効果的である。
【００１４】
ここで、ずれ防止手段とは、花の茎や樹木の枝を挿し込んで固定することが可能であるものを全て含む概念であり、例えば剣山や、剣山のように凸凹状や凹状に形成された茎や枝を挿し込む部分を備えた固定部材や、スポンジなどの吸水部材などが挙げられる。ずれ防止手段の備え方は、生花整形体内の下部に固定してもよいし着脱自在に備えてもよい。
【００１５】
請求項５記載の発明は、生花整形体に底面を備えることによって、生花整形体自体を単独で生け花を生ける花器として使用することができる。生け花は、区画空隙と整形補正材によって生花整形体の内部に不動状態で固定されるため、生花整形体を９０°以上傾けても花形が崩れることがないため、生花整形体内の水交換をする際に、生け花を生花整形体内に生けた状態のまま行うことができるので、非常に作業が簡便なものとなり、今までの生け花では考えられない非常に斬新な生け花及び花器となる。
【００１６】
請求項５記載の発明のように、生花整形体自体を花器として使用してもよいが、請求項６記載の発明のように、花器本体の内部に、生花整形体を収容し一つの花器としてもよい。ここで、花器本体としては、内部に生花整形体を完全に収容可能であると共に、花器本体内に生花整形体を容易に出仕入れが可能な口部を有したものであればどのような容器でもよく、例えば、花瓶や水盤など一般的に使用されている形状ものでもよいし、装飾品として用いられることが多い壺状などを挙げることができる。また、材質に関しても特に限定しないが、陶磁器、ガラス製、金属製、プラスチック製、木製などが挙げられる。生花整形体の花器本体内への収容状態としては、花器本体の底面に載置させてもよいし、花器本体の底面に生花整形体の下部が嵌合するようにしてもよいし、花器本体の口部周縁に生花整形体の上端を係止し、花器本体の底面から浮いた状態にしてもよいし、生花整形体を花器本体の内部形状に合わせて係止可能なような形状に形成してもよい。
尚、花器本体内に生花整形体を収容する場合、生花整形体には透水性を有することが望ましい（請求項１０）。生花整形体に透水性を持たせる手段としては、例えば筒体からなる生花整形体の場合は、筒体の側面及び側周面に筒体内に連通する透水孔を形成しておくことが挙げられ、その他の場合は、生花整形体を骨組体にしておくことなどが挙げられる。
【００１７】
このように花器を構成することによって、花器の外部で生花整形体に自分の思い通りの生け花を作り上げた後、花器内に生花整形体を収容し、花器内で生花整形体を回転させて生け花の正面位置を微調整するだけで、花器内に自分の思い通りに作り上げた生け花を容易に生けることができる。また、花器内に水をたくさん供給することができるので、生け花のみずみずしい状態を長期間に亘って保つことができると共に、水を花器内にたくさん供給しても、生け花が動くことを防ぐことができる。さらに、花器内の水交換作業を行う場合にも、花器内から生花整形体を取り出すだけで生け花に触れることなく簡便に作業を行うことができる。
【００１８】
また、請求項７記載の発明のように、花器本体の側周面に図柄を施すことによって、生け花の美しさに加えて非常に外観上の豪華さが増すことはもちろんのこと、正面に向ける花器本体に施された図柄を変更する場合、まず花器本体を回転させて見せたい図柄を正面に向けた後、生花整形体を回転させるだけで、生け花の花形を崩すことなく容易に生け花の正面位置を移動させることが可能であるため、その日その時の気分に応じて生け花の外観上の見栄えや印象などを容易に変えることができる。花器本体に施される図柄に関しては、花器本体の側周面全体に連続する状態に施してもよいし、前後方向などの対向位置にのみ施してもよく、特に、生け花全体の印象を図柄によって大幅に変える場合には、対向位置に施される図柄をそれぞれ全く異なるものにすることがより効果的である。
【００１９】
請求項８記載の発明のように、花器本体の底部から生花整形体を一体に形成することで一つの花器としてもよい。このように花器本体の底部に生花整形体を一体形成することによって、生花整形体の不動状態を確実に保持することが可能であると共に、花器内の生花整形体に直接花樹を生けることが可能であるため、生花整形体に生け花を一旦生けてから、それを花器本体内に収容する手間を省くことができるため、作業が非常に簡便なものとなる。
【００２０】
花器本体の大きさは、内部に生花整形体を収容することが可能で且つ内部への出し入れが容易となる広い口部を備えていれば特に問うものではないが、花器本体の形状が壺状といったような大きいものになった場合には、請求項９記載の発明のように、花器本体に柔軟性と弾力性を保有する排水用のホースを連結し、該ホースには、流路を開閉するための栓部材を着脱可能に備えることが望ましい。このようにホースを備えることによって、水交換を行う場合、花器本体内に生け花を生けた状態のまま、ホースに備えられた栓部材を開口し、古い水を排水した後、ホースを閉口し、花器本体上面の口部から新しい水を注入すれば、生け花及び大きな花器本体を移動させることなく容易に水交換を行うことができ、生け花のみずみずしい状態を長期間に亘って保つことができる。
【００２１】
ここで、ホースの連結箇所に関しては、特に限定しないが、花器本体を設置する際の妨げにならない箇所に備えることが望ましく、さらには、花器本体内の水の排水を効率よく行うために、花器本体の底、あるいは底面に沿う位置、つまり底面と同一面上に連結させることが望ましい。また、体裁を良好にするために、花器を飾った際に連結箇所が背面に位置するようにすることが望ましい。
花器本体とホースの連結方法に関しては、固定式及び着脱可能式など特に問わないが、花器本体に水抜孔を形成し、該水抜孔よりも１５％〜３０％大きな外径を有したホースを水抜孔内に弾力を利用して圧入し、ホースを水抜孔の内周壁に強固に固定する方法、水抜孔の内周壁にタケノコネジが形成されたホース取付部材を固着しタケノコネジ部をホース内に嵌め込む方法、また、花器本体にジョイントを取り付けホースと連結させる方法などを挙げることができる。この際、花器本体内から効率良く水を排水可能にするために、水抜孔内に圧入したホース、水抜孔内に固着したホースと取付部材及びジョイントの先端部分は、花器本体の内面と面一にすることが望ましい。
栓部材に関しては、花器本体内の水の排水及び止水を行うことが可能なものであれば特に問わないが、ホースの先端部分にコルクやキャップなどを嵌め込みホースを閉口し、外して開口してもよいし、ホースの先端部分を折り曲げクリップ止めをすることでホースを閉口し、外して開口してもよいし、また、ホースの一部にペンチ型のホース把持具で挟持し閉口し、緩めて開口できるようにしてもよい。
ホースに関しては、柔軟性と弾力性を保有していれば特に問わないが、花器本体と連結部分及び栓部材を備え付ける二箇所には、柔軟性と弾力性により優れたシリコン製のホースを利用することが望ましい。
【発明の効果】
【００２２】
請求項１記載の発明によれば、花樹を生花整形体内に生けた際に区画空隙により安定させることが可能であるため、自分の思い通りの花形を容易に作り上げることができると共に、花形の不動状態を容易に保つことができる。
【００２３】
請求項２記載の発明によれば、筒体内を区画空隙によって区画することが可能となり、筒体内に花樹を挿し込んだ際に花樹が筒体の口部いっぱいに広がることを防ぎ、区画空隙内に安定させることができると共に、生けたいと思う位置の区画空隙内に花樹を挿し込むだけで、自分の思い通りの花形を容易に作り上げることができる。
【００２４】
請求項３記載の発明によれば、区画空隙内に整形補正材を嵌め込むことにより、区画空隙内の隙間を埋めることが可能であるため、花樹をより一層安定させて不動状態に固定することができると共に、整形補正材によって花樹の角度を自由自在に変化させて固定することが可能であるため、より一層容易に自分の思い通りとする生け花の花形を作り上げることができる。さらに、生け花を作り上げた後でも、整形補正材の角度を変えたり引き抜いたりするだけで、花樹を生花整形体内から引き抜くことなく角度を変えたりすることが可能であるため、生け花の花形を容易に修正することができる。
【００２５】
請求項４記載の発明によれば、区画空隙内に花樹を挿し込んだ際に、花樹の下端部分をずれ防止手段によって固定することが可能であるため、区画空隙及び整形補正材の作用と相まって、より一層確実に花樹の不動状態を保持することができる。
【００２６】
請求項５記載の発明によれば、生花整形体自体を単独で花樹を生ける花器として使用することが可能となり、花樹は区画空隙と整形補正材において筒体の内部に不動状態で固定されているため、生花整形体内の水交換をする際に、花樹を生花整形体内に生けた状態のまま行うことができるので、非常に作業が簡便なものとなり、今までの生け花では考えられない非常に斬新な花器を提供することができる。
【００２７】
請求項６記載の発明によれば、花器の外部で生花整形体に自分の思い通りの生け花を作り上げた後、花器内に生花整形体を収容するだけで、花器内に自分の思い通りの生け花を容易に生けることができると共に、生花整形体を取り出すだけで、生け花に触れることなく簡便に水交換を行うことができ、さらには、花器内にたくさんの水を注入しても生け花の不動状態を保つことができ、生け花のみずみずしい状態を長期間に亘って保つことができる非常に商品価値の高い花器を提供することができる。
【００２８】
請求項７記載の発明によれば、生け花の美しさに加えて外観上により一層豪華さを持たせることができると共に、正面に向ける花器本体に施された図柄を、生け花の花形を崩すことなく容易に変更させることが可能であるため、その日その時の気分に応じて生け花の外観上の見栄えや印象などを容易に変えることができる花器を提供することができる。
【００２９】
請求項８記載の発明によれば、生花整形体の不動状態を確実にすることが可能であると共に、花器内の生花整形体に直接花樹を生けることが可能であるため、生花整形体に花樹を一旦生けてから、それを花器本体内に収容する手間を省くことができるため、花樹の生ける作業を非常に簡便に行うことができる花器を提供することができる。
【００３０】
請求項９記載の発明によれば、ホースに備えられた栓部材を開口し、古い水を排水した後、ホースを閉口し、花器本体上面の口部から新しい水を注入すれば、生け花及び花器本体を移動させることなく容易に花器本体内の水交換を行うことができ、生け花のみずみずしい状態を長期間に亘って容易に保つことができる。
【００３１】
請求項１０記載の発明によれば、花器本体内に生花整形体を収容した際に、花器本体内に注入した水が生花整形体と花器本体内とで完全に仕切られることを防ぐことが可能であるため、生け花のみずみずしい状態をより一層保つことができる。また、花器本体に排水用のホースを連結した際には、生花整形体内を含めて花器本体内の水を完全且つ確実に排水することが可能であるため、水交換作業を非常に簡便に行うことができる。
【発明を実施するための最良の形態】
【００３２】
以下本発明の実施形態を図面に基づいて説明する。
【００３３】
図１（ａ）（ｂ）（ｃ）（ｄ）（ｅ）は、本発明の第１実施形態を示すもので、図１（ａ）（ｂ）は、生花整形体と整形補正材を使用して花器内に生け花を生けた状態を示す断面図とその平面図であり、図１（ｃ）（ｄ）（ｅ）は生花整形体内に使用する整形補正材を示した斜視図である。図１（ａ）（ｂ）に示すように、花器は、花器本体１と、花器本体１の内部に完全に収容され且つ内部に花樹２を生ける生花整形体と、生花整形体内に生けた花樹２を固定するための整形補正材３ａと、から構成している。花器本体１は上方に向かって外側に広がる形状を成しており、上端が大きく開口している口部４を有する花瓶型である。生花整形体は筒体５と、区画部材６ａ，６ｂと、から構成し、筒体５は円筒形状を成しており、側周面には複数の透水孔７を筒体５内に連通するように形成すると共に、側周面の下方部分を花器本体１の内周面に当接するように下端に向かって内側に傾斜させて薄肉状に形成し、花器本体１内で筒体５が起立状態を保持できるようにしている。また、筒体５の内部には平面視した際に井桁状の区画空隙８が形成されるように区画部材６ａ，６ｂをそれぞれ組み合わせ、それを筒体５内の上下方向に複数段設けてある。区画部材６ａ，６ｂは、板状部材６ａと棒状部材６ｂの２種類の形状のものを使用し、上端部には板状部材６ａを使用し、それ以外の箇所には棒状部材６ｂを使用して井桁状に組み合わせている。区画部材６ａ，６ｂを井桁状に組み合わせて筒体５に固定するには、板状部材６ａを使用する場合は、板状部材６ａの中心位置から左右両側に向かって同じ距離の位置（井桁の升の大きさ）に、板状部材６ａの横幅とほぼ等しい切り込みを板状部材６ａの上端から中間位置まで形成し、板状部材６ａの切り込み同士を上下方向から嵌め込み井桁状に組み合わせる。組み合わせた板状部材６ａの上下端面は面一になっている。この井桁状に組み合わせた板状部材６ａを、筒体５の側周面の上端部に形成された切り込み１０に上方から嵌め込むことによって、筒体５内に井桁状の区画空隙８を形成する。また、棒状部材６ｂを使用する場合は、筒体５の側周面の対向する位置にそれぞれ通孔１１を形成し、通孔１１に棒状部材６ｂを挿通し、井桁状に組み合わせて筒体５内に区画空隙８を形成する。棒状部材６ｂを通孔１１に挿通する場合、縦方向と横方向に挿通する棒状部材６ｂが干渉することを防ぐために、通孔１１の設ける位置を上下方向でずらしている。各区画部材６ａ，６ｂの両端部は、より確実に花器本体１内での起立状態を保つために、筒体５の側周面より外側に飛び出し、さらに花器本体１の内周面にまで達している。各区画部材６ａ，６ｂの両端部の形状は、花器本体１の内周面に当接するように上方に向かって外側に広がるように形成されている。整形補正材は、図１（ｃ）に示す木製の割り箸状の棒部材３ａを使用し、区画空隙８内に挿し込んだ花樹２の隙間に挿し込み、区画空隙８内を埋めて花樹２を固定している。整形補正材に関しては、図１（ｄ）に示すような筒体５内に生けた花樹２の余分な茎３ｂを使用してもよいし、図１（ｅ）に示すようなスポンジ状の緩衝部材３ｃを区画空隙８内の隙間の大きさに合わせて細かくちぎるなどして使用してもよい。
尚、整形補正材３ａ，３ｂ，３ｃは、区画空隙８の大きさや生ける花樹２の種類及び生け方によって、使用する数及び種類が異なってくるが、特に、区画空隙８の形状が極めて小さい場合においては、使用する必要がなくなることもある。
【００３４】
図２（ａ）（ｂ）（ｃ）は、本発明の第２実施形態を示すもので、図２（ａ）は断面図であり、図２（ｂ）は正面図、図２（ｃ）は背面図である。第１実施形態と相違するところは、花器本体１が球状を成した底部に支持脚１２を備えた花瓶型の花器であり、花器本体１の底面に筒体５から成る生花整形体を載置して収容し、花器本体１の側周面の対向する位置に図柄を施している点である。筒体５は、花器本体１内に載置する形状であるため、より安定に載置できるように筒体５の側周面を下端に向かって肉厚となるように形成している。つまり、筒体５の内径を下方に向かって小さくなるように形成している。また、区画部材は、全て棒状部材６ｂを使用し、両端部は筒体５の側周面内に収まるように嵌め込んである。棒状部材６ｂは、最上段の部分のみ筒体５内から取り外し可能になっており、他の部分の棒状部材６ｂは筒体５の側周面に設けた通孔１１内に両端部を固着し、筒体５内に固定している。花器本体１の側周面の対向位置に施した図柄は、一面は立山連峰の風景写真１３ａであり、他面は立山に生息する雷鳥１３ｂの写真である。このように、花器本体１の側周面に異なる図柄を施すことにより、一つの花器で様々な図柄を楽しむことができることはもちろんのこと、花器本体１の正面に見せる図柄を変更することにより、生け花の印象を全体的に変えることができ、今までにはない非常に観賞しがいのある生け花と花器にすることができる。
【００３５】
図３（ａ）（ｂ）（ｃ）は、本発明の第３実施形態を示すもので、図３（ａ）は花器内に生花整形体を収容した状態を示す断面図であり、図３（ｂ）は生花整形体を示す断面図であり、図３（ｃ）は区画空隙を示す斜視図である。第２実施形態と相違するところは、花器本体１の形状が上端に向かって大きく開口した口部４を備えた水盤型であり、花器本体１の底面に載置した生花整形体の筒体５には透水孔７を備えた底面１４を備えると共に、底面１４に剣山１５を載置し、さらに、井桁状に組んだ棒状部材６ｂを筒体５の上端部のみに備えている点である。花器本体１の形状が水盤型であるため、筒体５に花樹を安定に固定するための十分な高さを確保できないため、底面１４に剣山１５を載置し花樹を筒体５内で不動状態で固定できるようにしている。棒状部材６ｂを筒体５内に井桁状に備える方法は、筒体５の側周面に形成した通孔１１に棒状部材６ｂを嵌め込むものではなく、筒体５の側周面の上端部を内周面側に向かって段差状に低くなるように形成し、その段差部分に、両端部を下方に折り曲げ断面下向きコ字状に形成した棒状部材６ｂを井桁状に組み合わせて載置している。棒状部材６ｂを井桁状に組んだ際に各棒状部材６ｂの当接する箇所を固着し一体型にすることによって、井桁状の区画空隙８を容易に保持することが可能であると共に、筒体５内で一体的に回転可能であるため、生け花の正面の向きなどの調整を行う際に、花器本体１内に手を挿入し筒体５から回転させなくても、生け花のみを容易に回転させることができ、また、微調整も容易に行うことができる。
【００３６】
図４は、本発明の第４実施形態を示すもので、第３実施形態と大きく異なるところは、花器本体１の底面に生花整形体の筒体５を一体形成すると共に、花器本体１内の水を排水するためのシリコンホース１６を連結している点である。花器本体１の底面にシリコンホース１６を備えることで、花器本体１内の水を効率よく完全に排水することができる。花器本体１の底面の中心部分に水抜孔１７を形成し、水抜孔１７よりも２０％〜２５％大きな外径を有したシリコンホース１６の一端を水抜孔１７内に弾力を利用して圧入し、強固に水抜孔１７内の内周壁に固定し、他端部分は折り曲げクリップ１８止めしてある。水抜孔１７内に圧入したシリコンホース１６の先端部分は、花器本体１内の水が完全に排水されるように底面と面一になっている。筒体５には底面１４を備えず、筒体５の側周面に形成する透水孔７は下端が花器本体１の底面と面一になるように形成し、筒体５内に備える剣山１５の底部に脚部１９を備えることで、花器本体１の底面に上げ底状に剣山１５を載置し、筒体５によって水抜孔１７を塞ぐことを防ぎ、シリコンホース１６を介して花器本体１内の水を完全に排水できるようにしている。また、井桁状の区画空隙８を形成する際には板状部材６ａを使用し、筒体５の上端部に固着することで、花器本体１の底面に載置した剣山１５と相まって、区画空隙８内に花樹をより一層安定に固定できる。
【００３７】
図５は、本発明の第５実施形態を示すもので、第４実施形態と大きく異なるところは、花器本体１の形状が球状をなした花瓶型であり、花器本体１の口部４周縁に生花整形体の筒体５の上端を支持し、花器本体１の底面から浮いた状態に収容し、花器本体１と筒体５とを別体に形成している点である。花器本体１の底部の中心部分は、花器本体１の水をより確実且つ完全に排水可能なように段差状に低くしてある。筒体５は、花器本体１内に収容した際に上端が花器本体１の口部４に位置し、下端は底部の直ぐ上部に位置するように形成し、筒体５の上端には花器本体１の口部４周縁に支持可能なように支持部２０が設けてある。支持部２０の外周側は花器本体１の口部４周縁まで張出し、内周側は筒体５の内側まで達しており、筒体５の上端開口部を狭めるようにしている。また、花器本体１内部に筒体５を収容した際に、筒体５の不動状態を確保するために、支持部２０の外周側の下面に花器本体１の口部４の内周面と当接する係止部２１を下向きに突設している。筒体５内の上部には棒状部材６ｂによって井桁状の区画空隙８を複数段形成し、下部には筒体５内の水を排水する際に生けた花樹の葉等でシリコンホース１６が詰まることを防ぐために網部材２２が備えてある。筒体５の下端部は内部に向かって段差状に筒体５の内径が狭くなるように形成してあるので、段差部分の上端面に網部材２２を載置することで容易に備えることができる。
【００３８】
図６（ａ）（ｂ）（ｃ）は、本発明の生花整形体の他の実施形態を示すもので、図６（ａ）は断面図であり、図６（ｂ）は図６（ａ）のＡ−Ａ矢視を示す平面部であり、図６（ｃ）は図６（ａ）のＢ−Ｂ矢視を示す平面図である。この生花整形体は、単独で花器として使用するものではなく、花器内の底面に載置して使用するものであり、主に内部形状が大きく、深さの深い花瓶型の花器に使用する生花整形体である。生花整形体の筒体５は円筒形状を成しており、筒体５の上下端部は花器内に載置した際の安定状態を確保するために外側にむかって段差状に径を大きく形成している。筒体５の側周面には透水孔７を筒体５内に連通するように形成し、筒体５の内部に井桁状の区画空隙８を形成するための棒状部材６ｂを挿通する通孔１１を形成してある。区画空隙８は筒体５内の上下部分にのみ形成してあり、区画空隙８の大きさ（井桁の升の大きさ）を上下部分によって異ならせている。これにより、筒体５を上下逆さまにひっくり返すことで、容易に区画空隙８の大きさを異ならせることができるため、一つの生花整形体において多様な生け方を行うことができる。
【００３９】
図７（ａ）（ｂ）は、本発明の生花整形体の他の実施形態を示すもので、花瓶型、水盤型など様々な形状の花器に使用可能な生花整形体である。図７（ａ）の実施形態と図６の実施形態の相違するところは、筒体５が完全な円筒形状であり、透水孔７を筒体５の上下周縁と共通するように設けている点である。このように透水孔７を形成すれば、シリコンホース１６を備える大きな花器の底面に載置した場合でも、シリコンホース１６より確実且つ完全に水を外部に排水することが可能である。
図７（ｂ）の実施形態と図７（ａ）の実施形態と相違するところは、筒体５内を板状部材６ａによって井桁状に完全に仕切り、筒体５の下端にのみ透水孔７を形成している点である。筒体５内を完全に仕切っているため、前記実施形態のように筒体５の上下面を使い分けることはできないが、筒体５内において効率よく確実に花樹を固定することができる。
【００４０】
図８（ａ）（ｂ）は、本発明の生花整形体の他の実施形態を示すもので、図８（ａ）は斜視図であり、図８（ｂ）は断面図である。この生花整形体は、主に水盤型の花器に使用するものであり、予め内部に剣山を収容している。生花整形体は、筒体５と区画空隙８と剣山１５とから構成してあり、筒体５は円筒状を成し、筒体５の下端に底面１４を設け、上端部には区画空隙８を設けている。底面１４には剣山１５を載置すると共に、区画空隙８は板状部材６ａを井桁状に組み合わせて形成したものである。筒体５の側周面と底面１４には透水孔７を形成し、筒体５内の水が隔離されてしまうことを防いでいる。
ここで、井桁状の区画空隙８は固定式及び着脱可能式を問わず、着脱可能式の場合は、井桁の升の大きさの異なるものを別体に形成しておいて、花樹の種類や生け方によって使い分けることもできる。
【００４１】
図９（ａ）（ｂ）は、本発明の生花整形体の他の実施形態を示すもので、生花整形体は複数の平板体２４から構成し、平板体２４を井桁状に組み合わせ、平面視した際に中心部に四角形の区画空隙８を形成するものである。図９（ａ）は生花整形体の高さを高く形成したもので、花瓶型、水盤型など様々な形状の花器の底面に載置して使用するものであり、中心部に形成された角状の筒体部分２５の平板体２４には、筒体部分２５の内部に連通する透水孔７が形成されている。図９（ｂ）は生花整形体の高さを低く形成したもので、花瓶型、水盤型など様々な形状の花器の底面に載置して使用することはもちろんのこと、上方に向かって外側に広がる形状を成した花瓶型の花器の上方部に係止させて使用することができるものである。平板体２４の左右両側は下端に向かって内側に傾斜させて形成し、外形を上方に向かって外側に広がる形状にし、中心部には角状の筒体部分２５を形成している。生花整形体の高さを低く形成しているため、筒体部分２５の平板体２４には透水孔は設けていない。
【００４２】
図１０は、本発明の生花整形体の他の実施形態を示すもので、生花整形体は筒体５と、板状部材６ａと、から構成し、筒体５の内部に区画空隙８を形成するものである。筒体５は、角状を成しており、下端部には底面（図示省略）を備え、側面には筒体５内部に連通する透水孔７を形成してある。筒体５の内部には、平面視した際に井桁状の区画空隙８が形成されるように板状部材６ａを組み合わせ、筒体５の内部上端に嵌め込んである。井桁状の区画空隙８の中心部の大きさが大きい場合には、筒体５内部の底面に剣山を載置することが望ましい。
【００４３】
図１１は、本発明の生花整形体の他の実施形態を示すもので、生花整形体は棒状部材６ｂと、リング状部材６ｃと、底面１４と、剣山１５と、から構成し、棒状部材６ｂとリング状部材６ｃとを組み合わせ円筒状の骨組体を形成すると共に、骨組体の内部に区画空隙８を形成するものである。底面１４に骨組体及び剣山１５を載置し、骨組体の内部に剣山１５を収容している。また、骨組体の内部上端、即ちリング状部材６ｃの内部には、平面視した際に井桁状の区画空隙８が形成されるように棒状部材６ｂを組み合わせてある。井桁状の区画空隙８の中心部の大きさが小さい場合には、骨組体内部の底面１４に必ずしも剣山を載置する必要はない。
【００４４】
図１２（ａ）（ｂ）は、本発明の生花整形体の他の実施形態を示すもので、生花整形体は筒体５と、底面１４と、から構成してある。図１２（ａ）の筒体５は円筒形状を成しており、筒体５の側周面には筒体５の内部に連通する透水孔７が形成されている。筒体５の下端には筒体５よりも大きな外径を有した底面１４を備え、花器内の底面に載置する際の安定性を保持している。図１２（ｂ）の筒体５は角状を成しており、筒体５の側面には透水孔７を形成し、筒体５の下端には筒体５よりも大きな幅を有する底面１４を備えている。これらの生花整形体は、筒体５の口径を３０ｍｍ前後と小さく形成してあるため、筒体５自体が区画空隙８の役割を果たすもので、一輪挿し用の花瓶に似ているが、花器内の底面に載置することで、水量を多く確保することが可能であると共に、水温の安定性を図ることが可能となり、花樹のいきいきとした状態を長期間に亘って容易に保つことができるものである。
【図面の簡単な説明】
【００４５】
【図１（ａ）（ｂ）（ｃ）（ｄ）（ｅ）】本発明の花器の第１実施形態を示す断面図及び平面図と、整形補正材を示す斜視図である。
【図２（ａ）（ｂ）（ｃ）】本発明の花器の第２実施形態を示す断面図、正面図及び背面図である。
【図３（ａ）（ｂ）（ｃ）】本発明の花器の第３実施形態を示す断面図と、生花整形体を示す断面図と、区画部材を示す斜視図である。
【図４】本発明の花器の第４実施形態を示す断面図である。
【図５】本発明の花器の第５実施形態を示す断面図である。
【図６（ａ）（ｂ）（ｃ）】本発明の生花整形体の他の実施形態を示す断面図、Ａ−Ａ矢視図及びＢ−Ｂ矢視図である。
【図７（ａ）（ｂ）】本発明の生花整形体の他の実施形態を示す斜視図である。
【図８（ａ）（ｂ）】本発明の生花整形体の他の実施形態を示す斜視図及び断面図である。
【図９（ａ）（ｂ）】本発明の生花整形体の他の実施形態を示す斜視図である。
【図１０】本発明の生花整形体の他の実施形態を示す斜視図である。
【図１１】本発明の生花整形体の他の実施形態を示す斜視図である。
【図１２（ａ）（ｂ）】本発明の生花整形体の他の実施形態を示す斜視図である。
【符号の説明】
【００４６】
１  花器本体
２  花樹
３ａ  棒部材（整形補正材）
３ｂ  茎（整形補正材）
３ｃ  緩衝部材（整形補正材）
５  筒体
８  区画空隙
１３ａ  立山連峰の風景写真（図柄）
１３ｂ  雷鳥の写真（図柄）
１４  底面
１５  剣山（ずれ防止手段）
１６  シリコンホース（ホース）
１８  クリップ（栓部材）
【図１（ａ）（ｂ）（ｃ）（ｄ）（ｅ）】
2005087222.tif 000003
【図３（ａ）（ｂ）（ｃ）】
2005087222.tif 000004
【図４】
2005087222.tif 000005
【図５】
2005087222.tif 000006
【図６（ａ）（ｂ）（ｃ）】
2005087222.tif 000007
【図７（ａ）（ｂ）】
2005087222.tif 000008
【図８（ａ）（ｂ）】
2005087222.tif 000009
【図９（ａ）（ｂ）】
2005087222.tif 000010
【図１０】
2005087222.tif 000011
【図１１】
2005087222.tif 000012
【図１２（ａ）（ｂ）】
2005087222.tif 000013
【図２（ａ）（ｂ）（ｃ）】
2005087222.tif 000014